(57)【要約】【課題】搬送時や簡単な振動、誤操作による蓋の開放を確実に防止するため、確実に蓋をロックすると共に、一見して蓋がロックしているのか、幼児には分かりにくい容器を、別部品を追加することなく安価に提供する。【解決手段】上部に開口部のある容器本体と蓋とで構成される容器において、一端に、開口部を蓋で閉鎖した状態を保持する蓋の爪に係合する係合部を有する押しボタンを設け、他端には、蓋を回動可能にする揺動軸を設けたヒンジで蓋と結合し、蓋のヒンジ部背面に、蓋の回動をロックするロック部が薄肉部を介して設け、容器本体と蓋との間に、ロック部３を収納するロック凹が設けられた容器であって、ロック部をロック凹部に収納すると、ロック部先端が容器本体のロック収納部端部に当り、蓋が容器本体の開口部から開かないようにロックできると共に、ロック凹部からロック部を外すと、蓋が回動可能にした事を特徴としたロック機能付き容器。【選択図】図３
2014105014.tif 000002
【特許請求の範囲】
【請求項１】
上部に開口部のある容器本体と、開口部上面で回動し容器を開閉する蓋とで構成される容器において、
容器本体は、一端に、開口部を蓋で閉鎖した状態を保持する為に設けた蓋の爪に係合する係合部を有する押しボタンが設けられており、
容器本体の他端には、蓋を回動可能にする揺動軸を設けたヒンジで蓋と結合しており、
回動する蓋のヒンジ部背面には、ヒンジ部に並設し、蓋の回動をロックするロック部が薄肉部を介して設けられると共に、
ヒンジ近傍の外面側における、容器本体と蓋との間には、ロック部を収納するロック凹部が設けられた容器であって
ロック部をロック凹部に収納すると、ロック部の薄肉部反対側の先端が容器本体のロック収納部端部に当り、蓋が容器本体の開口部から開かないようにロックできると共に、
ロック凹部からロック部を外すと、蓋が回動可能にした事を特徴としたロック機能付き容器。
【請求項２】
ロック部と蓋は、ロック凹部から外れた状態で、蓋のヒンジ部背面に仮固定可能な嵌合部を有することを特徴とした請求項１に記載のロック機能付き容器。
【発明の詳細な説明】
【技術分野】
【０００１】
本発明は、主として軟包装に収納されたウエットティッシュ包装袋などを収納して使用する箱型の容器に関し、さらに詳しくは、容器天面等に設けられた蓋を、新たな部品を必要とせずに、簡単な操作によってロックとその解除を容易に切り替えることが必要な製品に使用できる容器に関する。
【背景技術】
【０００２】
ウエットティッシュのように、開放状態でいると乾燥したりして、その内容物の性能が発揮できなくなるような内容物に対し、密封して外部に飛散する水分やアルコールなどの揮発を防止できるよう、密閉蓋を設け、使用する毎に容器の蓋を開閉し、内容物を取り出す容器が必要になる。それが、箱を落としたり、移動したりする日常のちょっとした衝撃等で簡単に開かないよう、ロックできる容器があれば、より便利であり、内容物を乾燥等から守る確実な方法になる。
また、特に乳幼児がいたづらしたり、誤ってティッシュを飲み込んだりする恐れがあり、そのような乳幼児のいる環境下において、容易にロックして容器が開かず、内容物を取り出せないようにすることができ、かつ、使用する際には、簡単に開閉できて、内容物の揮発等を防止できる容器が求められていた。
【０００３】
文献１では、取出口が形成された容器本体と、
容器本体に揺動自在に取付けられ、取出口を密閉する開閉蓋と、
容器本体と開閉蓋との間の揺動部に設けられ、開閉蓋を開方向に向って付勢する弾性付勢手段とを備え、
開閉蓋の自由端に係止部を設けるとともに、容器本体のうち開閉蓋の自由端側に設けられた落込段部に係止部に係合する係合部を有し外方から押圧されて撓む作動体を設け、
作動体の動作を係止する作動体係止機構を設け、
作動体は係合部を保持する垂直板と、この垂直板に直角リブを介して連結され垂直板を覆うとともに外方から押圧されて直角リブを介して垂直板を撓ませる覆い板とからなり、
作動体係止機構は容器本体のうち作動体の覆い板の下端近傍に移動自在に設けられた移動体を有し、作動体の覆い板の下端および移動体のうち一方に嵌合凹部を設け、他方に嵌合凸部を設け、嵌合凹部が嵌合凸部に対応する位置にきたとき、覆い板を降下させることができ、他方、嵌合凹部と嵌合凸部が互いにずれている場合、覆い板を降下させることはできず、垂直板から水平方向外方に延びる水平板を設け、覆い板は水平板に連結リブを介して連結されかつ水平板を覆い、覆い板の押圧時に連結リブを介して水平板を撓ませる、ことを特徴とする開閉自在容器が提案されている。
しかし、このような容器では、弾性付勢手段を備えた開閉蓋を有し、蓋の自由端に係止部を設けると共に、押しボタン側にロックがあるので、ロックしていることが、目で見てわかってしまう。そのため、幼児でもロックの状態と、そのロック解除方法が容易に判別してしまう問題がある。
また、ロックが弾性を使用し、撓む作動体を用いている。その為、ロック部品が別に必要で、ロック部品の費用も組み立てる費用も掛かり、高価になってしまう問題と共に、幼児でも力を掛ければ、容易に撓み、開口しないはずが、開口してしまう問題も発生していた。
【先行技術文献】
【特許文献】
【０００４】
【特許文献１】特許第４５９８９１３号公報
【発明の概要】
【発明が解決しようとする課題】
【０００５】
搬送時や簡単な振動などにより、開閉操作部材と蓋との噛み合いが外れて蓋が開いてしまったり、誤操作による蓋の開放を確実に防止するため、確実に蓋をロックすると共に、一見して蓋がロックしているのか、幼児には分かりにくい容器を、別部品を追加することなく安価に提供することが課題である。
【課題を解決するための手段】
【０００６】
本発明の請求項１に係るロック機能付き容器は、上部に開口部のある容器本体と、開口部上面で回動し容器を開閉する蓋とで構成される容器において、
容器本体は、一端に、開口部を蓋で閉鎖した状態を保持する為に設けた蓋の爪に係合する係合部を有する押しボタンが設けられており、
容器本体の他端には、蓋を回動可能にする揺動軸を設けたヒンジで蓋と結合しており、
回動する蓋のヒンジ部背面には、ヒンジ部に並設し、蓋の回動をロックするロック部が薄肉部を介して設けられると共に、
ヒンジ近傍の外面側における、容器本体と蓋との間には、ロック部を収納するロック凹部が設けられた容器であって
ロック部をロック凹部に収納すると、ロック部の薄肉部反対側の先端が容器本体のロック収納部端部に当り、蓋が容器本体の開口部から開かないようにロックできると共に、
ロック凹部からロック部を外すと、蓋が回動可能にした事を特徴としたロック機能付き容器である。
【０００７】
また、本発明の請求項２に係るロック機能付き容器は、ロック部と蓋は、ロック凹部から外れた状態で、蓋のヒンジ部背面に仮固定可能な嵌合部を有することを特徴とした請求項１に記載のロック機能付き容器である。
【発明の効果】
【０００８】
本発明のロック機能付き容器は、蓋の自由端側にロック機能が付いておらず、ロック部をヒンジ側に設けたので、間違って蓋を開けてしまったりすることがなくなると共に、見た目がロック機能に見えにくく、単にヒンジ側に蓋が伸びただけにしか見えないので、幼児にはロック機能を有するように感じられないので、幼児にいじられる問題が出にくい。また、蓋のロックが確実にできて、容器を積載、搬送による振動などがあっても、ロックが外れてしまう問題がおきない。
【図面の簡単な説明】
【０００９】
【図１】本発明であるロック機能付き容器の一例で、蓋を開けた状態の容器を示す斜視図である。
【図２】本発明であるロック機能付き容器の一例で、蓋を閉めた状態の容器を示す斜視図である。
【図３】本発明であるロック機能付き容器の一例で、蓋を開けた状態の容器を示す斜視図で、図１の反対側から見た図である。
【図４】本発明であるロック機能付き容器の一例で、蓋を閉めた状態のロック部近傍における詳細断面図である。
【図５】本発明であるロック機能付き容器の一例で、蓋を閉めているが、ロックを外した状態における詳細断面図である。
【図６】本発明であるロック機能付き容器の一例で、蓋を開けた状態の容器のロック部における詳細断面図である。
【図７】本発明であるロック機能付き容器の一例で、蓋を閉めた状態の容器をロックと押しボタン部分で切断した断面図である。
【図８】本発明であるロック機能付き容器の一例で、蓋を閉めた状態における押しボタン近傍の断面図である。
【図９】本発明であるロック機能付き容器の一例で、蓋を開口し始めた状態の容器をロックと押しボタン部分で切断した断面図である。
【図１０】本発明であるロック機能付き容器の一例で、蓋の斜視図である。
【図１１】本発明であるロック機能付き容器の一例で、押しボタンの斜視図である。
【発明を実施するための形態】
【００１０】
以下、本発明のロック機能付き容器における実施の形態例について、動作に沿った順で、図を用いて詳細に説明する。
図１は本発明のロック機能付き容器全体を示す図で、蓋を開けた状態における斜視図である。
ロック式容器は、容器本体１と、蓋２から構成されている。
容器本体１には上部に開口部１１があり、内容物をこの開口部１１から取り出される。
容器本体１は、上側、下側の2部品からなり、上下に分けて、内容物の充填を行えるようになっている。図では、蓋２が閉まって覆う部分は凹になっており、閉めた状態で、平らになるように設定されているが、凹にしていなくてもかまわない。
また、蓋２を閉めた状態で保持する為、蓋２内側の先端には係合爪２１が設けられている。
さらに、蓋を閉めて、揮散しやすい内容物の成分があっても揮発しにくいように、本体に押し当てるコンタクトリング２２が設けられている。
容器本体１と蓋との間には、斜視図では表示されないが、容器本体１上面の押しボタンとは反対側端部に、左右に設けた蓋２の揺動軸と容器本体１の凹部とで構成されるヒンジによって嵌合され、該ヒンジで回動可能に設けられている。ヒンジの近傍には、押しボタン４を押した時に開口する力を有する開口バネ５が設けられ、容器本体１側と、蓋２側に係合されている。
【００１１】
図２は、本発明のロック機能付き容器で、蓋が閉めた状態である。蓋のヒンジ側背面には、ロック部３が、薄肉部３１を介して並設している。そして、さらに、蓋２の部との接続する蓋２の外表面側には、ロック収納部２３が並設されている。しかも、ロック収納部２３の左右の側面には、収納突起２３１を設けて、ロック部３が収まり、固定できるようにしている。
ロック部３がロックされている所の下側には、凹状になった引き起こし挿入部１４を設けている。
【００１２】
図３は、本発明のロック機能付き容器で、蓋を開けた状態の容器を示す斜視図で、図１の反対側から見た図である。ロック部３が、薄肉部３１で折り返され、ロック収納部２３に収納され、収納突起２３１で固定されている。
ロック凹部１２は、蓋２をロックする場合、蓋２の一端と接合しているロック部３を収納し、蓋２の一端を固定することで、回動を阻止し、蓋２が開かないようにする役目をしている。ロック凹部１２には、左右にはロック部３の逃げを阻止するよう、ロック突起１３が設けられている。
また、ロック凹部１２の下端には、指を挿入してロック部３を外してロックを解除するため、引き起こし挿入部１４が設けられている。
【００１３】
図４は、本発明のロック機能付き容器で、蓋を閉めた状態で、ロックがかかった状態における断面図である。
蓋２と容器本体１の間で、ヒンジ近傍には、開口バネ５が取り付けられている。
また、蓋２のコンタクトリング２２が、開口部１１周縁の凹部に接して、外部と隔離を確実にできるようにしている。
【００１４】
図５は、本発明のロック機能付き容器で、蓋を閉めた状態の容器を示すヒンジ側の拡大断面図である。
蓋２のヒンジ側にはロック収納部２３の凹があり、その凹を形成している側面には、収納突起２３１がある。ロック部３が薄肉部３１を介して並設されていて、容器本体１の背面側側面に設けられ、ロック部３を挿入させ、ロックするロック凹部１２の側面にも、左右にロック突起１３が設けられていて、ロック部３が抜け出ないように固定されている。
このロックは、もし、押しボタン４が押されても、ヒンジ側のロック部３がロック収納部１２にある限り、ロック部３がロック収納部１２の底面に押し付けられることで、容器本体１と蓋との間に挿嵌してロックし、移動における振動などで開口してしまう誤動作から守り、蓋２は開口しない。
そのようなことを確実にするため、ロック凹部１２の底面には勾配１２１が設けられている。ロックした状態で押しボタン４を押し、蓋２を開けようとした場合、図では見えないが、蓋の軸を中心にして梃子となって、ロック部３の先端が、勾配１２１を持つロック凹部１２の底面に押し付けられ、ロック突起１３と勾配１２１によって内側に力が掛かる。ロック突起１３と勾配１２１によって、ロック部３はロック凹部から外れず、蓋の開口に伴う開口バネ５の力をここで受けることができる。そのため、ロックを掛けることで、押しボタン４を押して、係合爪２１の係合を外しても、蓋２は開かない。
【００１５】
図６は、本発明のロック機能付き容器で、ロックを外しているが、まだ蓋２を閉めている状態である。
ロック部３は、引き起こし挿入部１４から爪を入れ、引き起こし突起３２を爪で引っ掛け、ロック突起１３を乗り越え、薄肉部３１を中心に回動してロック収納部２３に収納されている。その時、収納突起２３１を乗り越えてロック部３はロックされる。
【００１６】
図７は、本発明のロック機能付き容器で、蓋を開けた状態のヒンジ側詳細図である。
開口バネ５が伸びて、蓋２は開いている。ロック部３は収納突起２３１によりロック収納部２３の内部に畳まれた状態で保持されたままである。
【００１７】
図８は、本発明のロック機能付き容器で、蓋２を閉めた状態における押しボタン側の詳細図である。
押しボタン４下端には樹脂バネ４１が設けられ、先端にはボタン爪４２が、蓋２の先端に設けられた係合爪２１と係合し、蓋が開口することを阻止している。
【００１８】
図９は、本発明のロック機能付き容器で、ロック部３をロック収納部２３に嵌め込むことでロックを外し、押しボタンを押して、蓋２が開け始めた状態における押しボタン側の詳細図である。
押しボタン４下端の樹脂バネ４１が圧縮して縮み、ボタン爪４２が、蓋２の先端に設けられた係合爪２１との係合を外し、圧縮されていたバネ部５が伸びて、蓋が開口し始めた状態を示している。
【００１９】
図１０は、蓋２単体の斜視図で、側面に揺動軸２４があり、容器本体１には揺動軸２４に合わせて設けた凹状の穴があって、蓋のヒンジを構成している。
この蓋の揺動軸２４及びヒンジを中心に蓋２は回動し、開閉する。
背面側には薄肉部３１を介してロック部３が設けられ、その先端には、ロック部３をロック凹部１２から引き起こしやすくするように、引き起こし突起３２が設けられている。
【００２０】
図１１は、押しボタン４単体の斜視図で、左右の側面に揺動軸（ボタン）４３が設けられている。容器本体１の押しボタンを嵌合させる所には、軸に合わせて設けた凹状の穴があって、押しボタンのヒンジを構成している。
押しボタンは押しボタンのヒンジを中心に回動し、蓋２先端の係合爪２１の係合を外したり、係合したりしている。
下側には樹脂バネ４１が設けられ、押しボタン４を押さない時は、側面に設けたボタン爪４２が、蓋２の先端に設けられた係合爪２１と係合するよう、ボタン爪４２を蓋２側に押し付ける圧を掛けている状態になっている。
【００２１】
本発明は以上のようなもので、本発明のロック機能付き容器の押しボタン４は、樹脂バネや軸を持つことから、強度、滑り性、復元力を持つ材料で作る必要がある。それに対応するため、材質をポリオキシメチレン樹脂、ポリアミド樹脂、ポリプロピレン樹脂、エチレン・プロピレン共重合体、エチレン・酢酸ビニル共重合体、アイオノマー樹脂などの樹脂を使用し、同時に一体で射出成形しても良いし、予め金属で製造したバネ部４４を挿入して、インサート射出成形しても良い。
【００２２】
他方、容器本体１と蓋２とは異種の材料が好ましい。ポリエチレン樹脂、ポリプロピレン樹脂、エチレン・プロピレン共重合体、エチレン・酢酸ビニル共重合体、アイオノマー樹脂、アクリロニトリル・ブタジエン・スチレン共重体、アクリロニトリル・スチレン共重体、ポリメチルペンテン樹脂、ポリスチレン樹脂、ハイインパクトスチレン樹脂、などが考えられる。
これを上記形状のキャビティをもった金型で、射出成形して製造し、組み立てる。
【００２３】
開口バネ５は、ポリプロピレン樹脂やエチレン・プロピレン共重合体、ポリオキシメチレン樹脂などでもかまわないし、シリコンゴム、天然ゴム、スチレンブタジエンゴム、ニトリルゴム、ウレタンゴム、エチレンプロピレンゴムなどのゴム系樹脂を使用しても、また、バネ性の金属で作られた金属バネを使用してもかまわない。
【００２４】
以下、本発明の実施例について記載する。
容器本体１は、図１の容器本体の形状の内、天面と側面を合わせた上と、底との２点に分けた形状とし、材料を高密度ポリエチレン樹脂とし、射出成形により製造した。底側と上側と前面部分の合わせ部分は嵌合爪とコンタクトリングで密閉できるようにした。
蓋２はエチレン・プロピレン共重合樹脂を使用し、図１０の形状の金型で射出成形によって製造した。
押しボタン４は２モルパーセントのオキシエチレン単位を含むポリオキシメチレンの共重合樹脂で、図１１形状の金型で射出成形によって製造した。
内容物は不織布にエチルアルコールを含浸させたものを作成し、２００枚をセットにして容器に入れた。
【００２５】
評価は、３歳と５歳の幼児にそれぞれ、開閉の方法を教えずに、容器を渡し、何分で開けられるか確認した。３歳の幼児は開けられず、５歳の幼児は開口するのに、１２分間も掛かかり、閉めるのには２０秒で閉められたが、ロックは分からず、そのまま直ぐに開口できる状態のままだった。また、容器も蓋を閉めた状態で、３ヶ月２５℃２０％ＲＨの環境下で保存したが、不織布は乾燥せず、濡れた状態を保っていた。
【００２６】
本発明のロック機能付き容器は、以上のようなもので、蓋２の背面に設けたロック部３を薄肉部３１部分で曲げてロック収納部２３に嵌め込めば、押しボタン４を押すだけで開き、蓋を押せば閉まり、いつでも開閉可能な状態になる。
そして、蓋を閉めた状態で、ロック部３を蓋背面側のロック凹部１２に嵌め込めば、ロックが掛かり、押しボタンを押しても開口しなくなる。
しかも、ボタン側にロックはなく、ロック部３をロック凹部１２から出して、ロック収納部２３に嵌め込むような行為は分かりづらいので、幼児にいたづらされにくい。
また、ロックを外した状態にすれば、押しボタンを押す操作一つで開口できる容易さと、
ロックすれば、搬送や積載する時の振動などで容器が開くなどの問題は出ない。
しかも、蓋２とロック部３は一体で射出成形により容易に成形できるので、容器の価格はほとんど上昇しないなど、メリットが大きい。
【符号の説明】
【００２７】
１・・・・・・・・・容器本体
１１・・・・・・・・開口部
１２・・・・・・・・ロック凹部
１２１・・・・・・・勾配
１３・・・・・・・・ロック突起
１４・・・・・・・・引き起こし挿入部
２・・・・・・・・・蓋
２１・・・・・・・・係合爪  
２２・・・・・・・・コンタクトリング  
２３・・・・・・・・ロック収納部
２３１・・・・・・・収納突起
２４・・・・・・・・揺動軸（蓋）
３・・・・・・・・・ロック部
３１・・・・・・・・薄肉部  
３２・・・・・・・・引き起こし突起
４・・・・・・・・・押しボタン
４１・・・・・・・・樹脂バネ
４２・・・・・・・・ボタン爪  
４３・・・・・・・・揺動軸（ボタン）  
５・・・・・・・・・開口バネ
【図１】
2014105014.tif 000003
【図２】
2014105014.tif 000004
【図３】
2014105014.tif 000005
【図４】
2014105014.tif 000006
【図５】
2014105014.tif 000007
【図６】
2014105014.tif 000008
【図７】
2014105014.tif 000009
【図８】
2014105014.tif 000010
【図９】
2014105014.tif 000011
【図１０】
2014105014.tif 000012
【図１１】
2014105014.tif 000013